(57)【要約】  無線通信システムの基地局は、基地局情報を基に異なるスクランブルデータを少なくともシステム全体で使用するサブチャネル数とサブキャリア数との乗算値以上の数だけ生成する基地局側データ生成部と、スクランブルデータを記憶する基地局側記憶部と、通信相手の端末への送信データと、サブチャネルの情報とを出力する基地局側上位制御部と、前記サブチャネルの情報を基に前記サブチャネルに対応するスクランブルデータを出力するように基地局側記憶部を制御する基地局側下位制御部と、基地局側上位制御部から出力される送信データと、基地局側下位制御部による制御の下、基地局側記憶部から出力されるスクランブルデータとの掛合せ処理を行う基地局側スクランブル部とを備える。
2009057631.tif 000002
【特許請求の範囲】
【請求項１】
第１の装置と第２の装置の間で、複数のサブキャリアからなるサブチャネルを用いて通信を行う無線通信システムであって、
前記第１の装置は、
所定の固有情報を基に互いに異なる複数通りのスクランブルデータを生成するスクランブルデータ生成部と、
前記スクランブルデータ生成部が生成した前記スクランブルデータ中の、前記第２の装置に対応するスクランブルデータと、前記第２の装置へ送信される第１の送信データとの演算処理を行う第１のスクランブル部と、
前記演算処理を施した第１の送信データを前記第２の装置へ送信する第１の送信部と、を具備し、
前記第２の装置は、
前記第１の装置からデータを受信する第１の受信部と、
前記第１の装置から予め受信した前記固有情報を基に前記スクランブルデータに対応するデスクランブルデータを生成するデスクランブルデータ生成部と、
前記第１の装置から受信した前記送信データと、前記デスクランブルデータとの演算処理を行う第１のデスクランブル部と、を具備する
無線通信システム。
【請求項２】
前記第１の装置は、
前記第１の装置からデータを受信する第２の受信部と、
前記第２の装置から受信した受信データと、前記スクランブルデータとの演算処理を行う第２のデスクランブル部を備え、
前記第２の装置は、前記第１の装置へ送信される第２の送信データと、前記デスクランブルデータとの演算処理を行う第２のスクランブル部と、
前記演算処理を施した第２の送信データを前記第１の装置へ送信する第２の送信部と、を更に備える、
請求項１記載の無線通信システム。
【請求項３】
前記スクランブルデータ生成部及び前記デスクランブルデータ生成部は、
サブチャネル数Ｎｓ、サブキャリア数Ｎｃ、ビット数Ｂからなる２Ｂ−１≧Ｎｓ×Ｎｃの条件式を満たすビット数Ｂのシフトレジスタと、
一方の入力端が前記シフトレジスタにおける最終段の出力端と接続され、他方の入力端が前記シフトレジスタにおける所定段の出力端と接続され、出力端が前記シフトレジスタの入力端と接続された論理和回路と、を更に具備する
請求項１または２に記載の無線通信システム。
【請求項４】
マルチキャリア通信を採用し、基地局と端末が複数のサブキャリアからなるサブチャネルを用いて通信を行う無線通信システムであって、
前記基地局は、 
自己の基地局情報を基に異なるスクランブルデータを少なくともシステム全体で使用するサブチャネル数とサブキャリア数との乗算値以上の数だけ生成する基地局側データ生成部と、
前記基地局側データ生成部にて生成されたスクランブルデータを記憶する基地局側記憶部と、
通信相手の端末への送信データと、前記通信相手の端末に割り当てたサブチャネルの情報とを出力する基地局側上位制御部と、
前記サブチャネルの情報を基に前記通信相手の端末に割り当てたサブチャネルに対応するスクランブルデータを出力するように前記基地局側記憶部を制御する基地局側下位制御部と、
前記基地局側上位制御部から出力される前記送信データと、前記基地局側下位制御部による制御の下、前記基地局側記憶部から出力される前記スクランブルデータとの掛合せ処理を行う基地局側スクランブル部と、を備え、
前記端末は、
前記基地局との通信接続確立時において、通信相手の基地局から取得した基地局情報を基に前記通信相手の基地局と同一のスクランブルデータを生成する端末側データ生成部と、
前記端末側データ生成部にて生成されたスクランブルデータを記憶する端末側記憶部と、
前記通信相手の基地局への送信データと、当該通信相手の基地局から割り当てられたサブチャネルの情報を出力する端末側上位制御部と、
前記サブチャネルの情報を基に前記通信相手の基地局から割り当てられたサブチャネルに対応するスクランブルデータを出力するように前記端末側記憶部を制御する端末側下位制御部と、
前記端末側上位制御部から出力される前記送信データと、前記端末側下位制御部による制御の下、前記端末側記憶部から出力される前記スクランブルデータとの掛合せ処理を行う端末側スクランブル部と、を備える、
無線通信システム。
【請求項５】
前記基地局は、
前記通信相手の端末から受信した受信データと、前記基地局側記憶部から出力される前記スクランブルデータとの掛合せ処理を行う基地局側デスクランブル部を備え、
前記端末は、前記通信相手の基地局から受信した受信データと、前記端末側記憶部から出力される前記スクランブルデータとの掛合せ処理を行う端末側デスクランブル部を更に備える、
請求項４記載の無線通信システム。
【請求項６】
前記基地局側データ生成部及び前記端末側データ生成部は、
サブチャネル数Ｎｓ、サブキャリア数Ｎｃ、ビット数Ｂからなる２Ｂ−１≧Ｎｓ×Ｎｃの条件式を満たすビット数Ｂのシフトレジスタと、
一方の入力端が前記シフトレジスタにおける最終段の出力端と接続され、他方の入力端が前記シフトレジスタにおける所定段の出力端と接続され、出力端が前記シフトレジスタの入力端と接続された論理和回路と、を更に具備する
請求項４または５に記載の無線通信システム。
【請求項７】
マルチキャリア通信を採用し、端末と複数のサブキャリアからなるサブチャネルを用いて通信を行う基地局であって、
自己の基地局情報を基に異なるスクランブルデータを少なくともシステム全体で使用するサブチャネル数とサブキャリア数との乗算値以上の数だけ生成する基地局側データ生成部と、
前記基地局側データ生成部にて生成されたスクランブルデータを記憶する基地局側記憶部と、
通信相手の端末への送信データと、前記通信相手の端末に割り当てたサブチャネルの情報とを出力する基地局側上位制御部と、
前記サブチャネルの情報を基に前記通信相手の端末に割り当てたサブチャネルに対応するスクランブルデータを出力するように前記基地局側記憶部を制御する基地局側下位制御部と、
前記基地局側上位制御部から出力される前記送信データと、前記基地局側下位制御部による制御の下、前記基地局側記憶部から出力される前記スクランブルデータとの掛合せ処理を行う基地局側スクランブル部と、を備える基地局。
【請求項８】
前記基地局は、前記通信相手の端末から受信した受信データと、前記基地局側記憶部から出力される前記スクランブルデータとの掛合せ処理を行う基地局側デスクランブル部を更に備える請求項７記載の基地局。
【請求項９】
前記基地局側データ生成部は、
サブチャネル数Ｎｓ、サブキャリア数Ｎｃ、ビット数Ｂからなる２Ｂ−１≧Ｎｓ×Ｎｃの条件式を満たすビット数Ｂのシフトレジスタと、
一方の入力端が前記シフトレジスタにおける最終段の出力端と接続され、他方の入力端が前記シフトレジスタにおける所定段の出力端と接続され、出力端が前記シフトレジスタの入力端と接続された論理和回路と、を具備する
請求項７に記載の基地局。
【請求項１０】
マルチキャリア通信を採用し、基地局と複数のサブキャリアからなるサブチャネルを用いて通信を行う端末であって、
前記基地局との通信接続確立時において、通信相手の基地局から取得した基地局情報を基に前記通信相手の基地局と同一のスクランブルデータを生成する端末側データ生成部と、
前記端末側データ生成部にて生成されたスクランブルデータを記憶する端末側記憶部と、
前記通信相手の基地局への送信データと、当該通信相手の基地局から割り当てられたサブチャネルの情報を出力する端末側上位制御部と、
前記サブチャネルの情報を基に前記通信相手の基地局から割り当てられたサブチャネルに対応するスクランブルデータを出力するように前記端末側記憶部を制御する端末側下位制御部と、
前記端末側上位制御部から出力される前記送信データと、前記端末側下位制御部による制御の下、前記端末側記憶部から出力される前記スクランブルデータとの掛合せ処理を行う端末側スクランブル部と、
を備える端末。
【請求項１１】
前記通信相手の基地局から受信した受信データと、前記端末側記憶部から出力される前記スクランブルデータとの掛合せ処理を行う端末側デスクランブル部を更に備える請求項１０記載の端末。
【請求項１２】
前記端末側データ生成部は、
サブチャネル数Ｎｓ、サブキャリア数Ｎｃ、ビット数Ｂからなる２Ｂ−１≧Ｎｓ×Ｎｃの条件式を満たすビット数Ｂのシフトレジスタと、
一方の入力端が前記シフトレジスタにおける最終段の出力端と接続され、他方の入力端が前記シフトレジスタにおける所定段の出力端と接続され、出力端が前記シフトレジスタの入力端と接続された論理和回路と、を具備する
請求項１０に記載の端末。
【請求項１３】
マルチキャリア通信を採用し、基地局と端末が複数のサブキャリアからなるサブチャネルを用いて通信を行う無線通信方法であって、
前記基地局において、自己の基地局情報を基に異なるスクランブルデータを少なくともシステム全体で使用するサブチャネル数とサブキャリア数との乗算値以上の数だけ生成する第１ステップと、
前記第１ステップにて生成されたスクランブルデータを記憶する第２ステップと、
通信相手の端末に割り当てたサブチャネルの情報を基に、前記第２ステップで記憶されたスクランブルデータの中から前記通信相手の端末に割り当てたサブチャネルに対応するスクランブルデータを読み出す第３ステップと、
前記第３ステップにて読み出したスクランブルデータと前記通信相手の端末への送信データとの掛合せ処理を行う第４ステップと、
前記端末における前記基地局との通信接続確立時において、通信相手の基地局から取得した基地局情報を基に前記通信相手の基地局と同一のスクランブルデータを生成する第５ステップと、
前記第５ステップにて生成されたスクランブルデータを記憶する第６ステップと、
前記通信相手の基地局から割り当てられたサブチャネルの情報を基に、前記第６ステップで記憶されたスクランブルデータの中から前記通信相手の基地局から割り当てられたサブチャネルに対応するスクランブルデータを読み出す第７ステップと、
前記第７ステップにて読み出したスクランブルデータと前記通信相手の基地局への送信データとの掛合せ処理を行う第８ステップと、
を有する無線通信方法。
【発明の詳細な説明】
【技術分野】
【０００１】
本発明は、無線通信システム、基地局、端末及び無線通信方法に関する。
本願は、２００７年１０月３０日に出願された特願２００７−２８１６９０号に対し優先権を主張し、その内容をここに援用する。
【背景技術】
【０００２】
近年、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）やＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）等のマルチキャリア通信が次世代のブロードバンド移動体通信システムとして注目されている。例えば、ＯＦＤＭＡとは、直交関係にあるサブキャリアを複数の端末で共有し、任意の複数のサブキャリアをサブチャネルとして位置づけ、基地局が任意の通信タイミング（ＴＤＭＡを採用するシステムではこの通信タイミングはスロットなどに相当する）で各端末にサブチャネルを適応的に割り当てることにより多元接続を実現する技術である。下記特許文献１には、上記のようなマルチキャリア通信システムにおいて、周波数方向のシンボル列（複数のキャリア信号）にスクランブルをかけることにより、送信信号のピーク対平均値パワー比を低減させる技術が開示されている。
【特許文献１】特開２００７−１２９７５５号公報
【０００３】
上記従来技術では、サブチャネル毎にスクランブルをかける場合、サブチャネル内では周波数方向にデータがランダム化されるが、サブチャネル間では同一のスクランブルがかけられることになり、ピークファクタが大きくなるという問題がある。そこで、このような問題を解決するに当たって、サブチャネル間のデータをランダム化するために、それぞれのサブチャネル毎にデータに掛け合わせるスクランブルデータをいかに変更するかが重要となる。【０００４】
例えば、ＴＤＤ／ＴＤＭＡ方式を採用するＰＨＳのＡＲＩＢ規格では、基地局識別子の一部を初期値とするシフトレジスタから順次出力されるデータをスクランブルデータとしてデータに掛け合わせることにより、データのランダム化を行うよう規定されている。これをＯＦＤＭやＯＦＤＭＡ等のマルチキャリア通信システムに利用し、サブチャネル毎に異なる初期値を使用してスクランブルデータを生成することでサブチャネル間のデータをランダム化する手法が考えられるが、この手法ではスクランブルデータを記憶するためのメモリをサブチャネル数分だけ用意する必要があるため、コストの増大を招くという問題が生じる。一方、この問題を回避するために、データ送信を行う毎にスクランブルデータを生成する手法も考えられるが、この手法では通信速度が低下するという問題が生じる。
【発明の開示】
【０００５】
本発明は、上述した事情に鑑みてなされたものであり、マルチキャリア通信を採用した場合において、コストの増大及び通信速度の低下を招くことなく、サブチャネル間のデータをランダム化してピークファクタを低減することを目的とする。
【０００６】
上記目的を達成するために、本発明では、無線通信システムに係る第１の解決手段として、マルチキャリア通信を採用し、基地局と端末が複数のサブキャリアからなるサブチャネルを用いて通信を行う無線通信システムであって、前記基地局は、自己の基地局情報を基に異なるスクランブルデータを少なくともシステム全体で使用するサブチャネル数とサブキャリア数との乗算値以上の数だけ生成する基地局側データ生成部と、前記基地局側データ生成部にて生成されたスクランブルデータを記憶する基地局側記憶部と、通信相手の端末への送信データと、前記通信相手の端末に割り当てたサブチャネルの情報とを出力する基地局側上位制御部と、前記サブチャネルの情報を基に前記通信相手の端末に割り当てたサブチャネルに対応するスクランブルデータを出力するように前記基地局側記憶部を制御する基地局側下位制御部と、前記基地局側上位制御部から出力される前記送信データと、前記基地局側下位制御部による制御の下、前記基地局側記憶部から出力される前記スクランブルデータとの掛合せ処理を行う基地局側スクランブル部と、を備え、前記端末は、前記基地局との通信接続確立時において、通信相手の基地局から取得した基地局情報を基に前記通信相手の基地局と同一のスクランブルデータを生成する端末側データ生成部と、前記端末側データ生成部にて生成されたスクランブルデータを記憶する端末側記憶部と、前記通信相手の基地局への送信データと、当該通信相手の基地局から割り当てられたサブチャネルの情報を出力する端末側上位制御部と、前記サブチャネルの情報を基に前記通信相手の基地局から割り当てられたサブチャネルに対応するスクランブルデータを出力するように前記端末側記憶部を制御する端末側下位制御部と、前記端末側上位制御部から出力される前記送信データと、前記端末側下位制御部による制御の下、前記端末側記憶部から出力される前記スクランブルデータとの掛合せ処理を行う端末側スクランブル部と、を備える、ことを特徴とする。
【０００７】
また、本発明では、無線通信システムに係る第２の解決手段として、上記第１の解決手段において、前記基地局は、前記通信相手の端末から受信した受信データと、前記基地局側記憶部から出力される前記スクランブルデータとの掛合せ処理を行う基地局側デスクランブル部を備え、前記端末は、前記通信相手の基地局から受信した受信データと、前記端末側記憶部から出力される前記スクランブルデータとの掛合せ処理を行う端末側デスクランブル部を備える、ことを特徴とする。
【０００８】
また、本発明では、無線通信システムに係る第３の解決手段として、上記第１または第２の解決手段において、前記基地局側データ生成部及び前記端末側データ生成部は、サブチャネル数Ｎｓ、サブキャリア数Ｎｃ、ビット数Ｂからなる２Ｂ−１≧Ｎｓ×Ｎｃの条件式を満たすビット数Ｂのシフトレジスタと、一方の入力端が前記シフトレジスタにおける最終段の出力端と接続され、他方の入力端が前記シフトレジスタにおける所定段の出力端と接続され、出力端が前記シフトレジスタの入力端と接続された論理和回路と、から構成されることを特徴とする。
【０００９】
また、本発明では、基地局に係る第１の解決手段として、マルチキャリア通信を採用し、端末と複数のサブキャリアからなるサブチャネルを用いて通信を行う基地局であって、起動時において、自己の基地局情報を基に異なるスクランブルデータを少なくともシステム全体で使用するサブチャネル数とサブキャリア数との乗算値以上の数だけ生成する基地局側データ生成部と、前記基地局側データ生成部にて生成されたスクランブルデータを記憶する基地局側記憶部と、通信相手の端末への送信データと、前記通信相手の端末に割り当てたサブチャネルの情報とを出力する基地局側上位制御部と、前記サブチャネルの情報を基に前記通信相手の端末に割り当てたサブチャネルに対応するスクランブルデータを出力するように前記基地局側記憶部を制御する基地局側下位制御部と、前記基地局側上位制御部から出力される前記送信データと、前記基地局側下位制御部による制御の下、前記基地局側記憶部から出力される前記スクランブルデータとの掛合せ処理を行う基地局側スクランブル部と、を備えることを特徴とする。
【００１０】
また、本発明では、基地局に係る第２の解決手段として、上記第１の解決手段において、前記通信相手の端末から受信した受信データと、前記基地局側記憶部から出力される前記スクランブルデータとの掛合せ処理を行う基地局側デスクランブル部を備えることを特徴とする。
【００１１】
また、本発明では、基地局に係る第３の解決手段として、上記第１または第２の解決手段において、前記基地局側データ生成部は、サブチャネル数Ｎｓ、サブキャリア数Ｎｃ、ビット数Ｂからなる２Ｂ−１≧Ｎｓ×Ｎｃの条件式を満たすビット数Ｂのシフトレジスタと、一方の入力端が前記シフトレジスタにおける最終段の出力端と接続され、他方の入力端が前記シフトレジスタにおける所定段の出力端と接続され、出力端が前記シフトレジスタの入力端と接続された論理和回路と、から構成されることを特徴とする。
【００１２】
また、本発明では、端末に係る第１の解決手段として、マルチキャリア通信を採用し、基地局と複数のサブキャリアからなるサブチャネルを用いて通信を行う端末であって、前記基地局との通信接続確立時において、通信相手の基地局から取得した基地局情報を基に前記通信相手の基地局と同一のスクランブルデータを生成する端末側データ生成部と、前記端末側データ生成部にて生成されたスクランブルデータを記憶する端末側記憶部と、前記通信相手の基地局への送信データと、当該通信相手の基地局から割り当てられたサブチャネルの情報を出力する端末側上位制御部と、前記サブチャネルの情報を基に前記通信相手の基地局から割り当てられたサブチャネルに対応するスクランブルデータを出力するように前記端末側記憶部を制御する端末側下位制御部と、前記端末側上位制御部から出力される前記送信データと、前記端末側下位制御部による制御の下、前記端末側記憶部から出力される前記スクランブルデータとの掛合せ処理を行う端末側スクランブル部と、を備えることを特徴とする。
【００１３】
また、本発明では、端末に係る第２の解決手段として、上記第１の解決手段において、前記通信相手の基地局から受信した受信データと、前記端末側記憶部から出力される前記スクランブルデータとの掛合せ処理を行う端末側デスクランブル部を備えることを特徴とする。
【００１４】
また、本発明では、端末に係る第３の解決手段として、上記第１または第２の解決手段において、前記端末側データ生成部は、サブチャネル数Ｎｓ、サブキャリア数Ｎｃ、ビット数Ｂからなる２Ｂ−１≧Ｎｓ×Ｎｃの条件式を満たすビット数Ｂのシフトレジスタと、一方の入力端が前記シフトレジスタにおける最終段の出力端と接続され、他方の入力端が前記シフトレジスタにおける所定段の出力端と接続され、出力端が前記シフトレジスタの入力端と接続された論理和回路と、から構成されることを特徴とする。
【００１５】
さらに、本発明では、無線通信方法に係る解決手段として、マルチキャリア通信を採用し、基地局と端末が複数のサブキャリアからなるサブチャネルを用いて通信を行う無線通信方法であって、前記基地局は、起動時において、自己の基地局情報を基に異なるスクランブルデータを少なくともシステム全体で使用するサブチャネル数とサブキャリア数との乗算値以上の数だけ生成する第１ステップと、前記第１ステップにて生成されたスクランブルデータを記憶する第２ステップと、通信相手の端末に割り当てたサブチャネルの情報を基に、前記第２ステップで記憶されたスクランブルデータの中から前記通信相手の端末に割り当てたサブチャネルに対応するスクランブルデータを読み出す第３ステップと、前記第３ステップにて読み出したスクランブルデータと前記通信相手の端末への送信データとの掛合せ処理を行う第４ステップと、を有し、前記端末は、前記基地局との通信接続確立時において、通信相手の基地局から取得した基地局情報を基に前記通信相手の基地局と同一のスクランブルデータを生成する第５ステップと、前記第５ステップにて生成されたスクランブルデータを記憶する第６ステップと、前記通信相手の基地局から割り当てられたサブチャネルの情報を基に、前記第６ステップで記憶されたスクランブルデータの中から前記通信相手の基地局から割り当てられたサブチャネルに対応するスクランブルデータを読み出す第７ステップと、前記第７ステップにて読み出したスクランブルデータと前記通信相手の基地局への送信データとの掛合せ処理を行う第８ステップと、有する、ことを特徴とする。
【００１６】
本発明によると、スクランブルデータを記憶するための記憶部をサブチャネル数分だけ用意する必要がなく、コストの増大を防止することができる。また、基地局側では起動時、端末側では通信相手の基地局との通信接続確立時に生成したスクランブルデータを記憶部に記憶しておき、以降の通信ではその記憶部に記憶されたスクランブルデータを用いてサブチャネル間のデータのランダム化（スクランブル）を行うため、データ送信を行う毎にスクランブルデータを生成する手法のように通信速度の低下を招くこともない。従って、本発明によると、マルチキャリア通信を採用した場合において、コストの増大及び通信速度の低下を招くことなく、サブチャネル間のデータをランダム化してピークファクタを低減することが可能である。
【図面の簡単な説明】
【００１７】
【図１】図１は、本発明の一実施形態における無線通信システムの構成概略図である。
【図２】図２は、本発明の一実施形態における無線通信システムの周波数、スロット及びサブチャネルの関係を示す模式図である。
【図３】図３は、本発明の一実施形態における基地局ＣＳの構成ブロック図である。
【図４】図４は、本発明の一実施形態における基地局側データ生成部４の詳細説明図である。
【図５】図５は、本発明の一実施形態における端末ＰＳの構成ブロック図である。
【図６】図６は、本発明の一実施形態における無線通信システムの動作フローチャートである。
【符号の説明】
【００１８】
ＣＳ…基地局
ＰＳ…端末
１、１０…ＯＦＤＭ信号送信部
２、２０…ＯＦＤＭ信号受信部
３、３０…基地局側上位制御部
４、４０…基地局側データ生成部
５、５０…基地局側メモリ
６、６０…基地局側メモリ制御部
１ａ、１０ａ…ＣＲＣ符号付加部
１ｂ…基地局側スクランブル部
１０ｂ…端末側スクランブル部
１ｃ、１０ｃ…誤り訂正符号付加部
１ｄ、１０ｄ…シリアル／パラレル変換部
１ｅ、１０ｅ…サブキャリア変調部
１ｆ、１０ｆ…逆フーリエ変換部
１ｇ、１０ｇ…ガードインターバル挿入部
１ｈ、１０ｈ…無線信号送信部
２ａ、２０ａ…無線信号受信部
２ｂ、２０ｂ…ガードインターバル除去部
２ｃ、２０ｃ…フーリエ変換部
２ｄ、２０ｄ…サブキャリア復調部
２ｅ、２０ｅ…パラレル／シリアル変換部
２ｆ、２０ｆ…誤り訂正部
２ｇ…基地局側デスクランブル部
２０ｇ…端末側デスクランブル部
２ｈ、２０ｈ…ＣＲＣ演算部
【発明を実施するための最良の形態】
【００１９】
以下、図面を参照しつつ、本発明の好適な実施例について説明する。ただし、本発明は以下の各実施例に限定されるものではなく、例えばこれら実施例の構成要素同士を適宜組み合わせてもよい。【００２０】
まず、本発明の一実施形態について、マルチキャリア通信としてＯＦＤＭＡ方式を採用した無線通信システムを例に詳細に説明する。図１に示す通り、本実施形態における無線通信システムは、基地局ＣＳと端末ＰＳ及び図示しないネットワークから成る。基地局ＣＳと端末ＰＳは、例えば、時分割多重接続方式（ＴＤＭＡ）、時分割複信方式（ＴＤＤ）に加えて直交周波数分割多重接続方式（ＯＦＤＭＡ）を多元接続技術として用いて通信を行うものである。基地局ＣＳは、一定の距離間隔で複数設けられ、複数の端末ＰＳと多重接続を行い、無線通信を行う。【００２１】
周知のようにＯＦＤＭＡ方式においては、直交関係にある全てのサブキャリアを全端末ＰＳで共有する。ＯＦＤＭ方式では、任意の複数のサブキャリアの集まりを１つのグループとして位置づける。各端末ＰＳに１つ又は複数のグループを適応的に割り当てることにより多元接続を実現する。本実施形態の無線通信システムでは、上記したＯＦＤＭＡ方式に、ＴＤＭＡ方式及びＴＤＤ方式をさらに組み合わせている。つまり、各グループをＴＤＤとして時間軸方向に上り回線と下り回線に分け、さらにこれら上り回線と下り回線をそれぞれ４つのＴＤＭＡスロットに分割している。そして、本実施形態においては、各グループが時間軸方向にそれぞれＴＤＭＡスロットとして分割された１つの単位をサブチャネルと呼ぶことにする。図２に本実施形態の無線通信システムにおける周波数とＴＤＭＡスロットとサブチャネルの関係を示す。縦軸は周波数、横軸は時間を示している。図２が示すように、周波数方向２８個、時間軸方向４個（４スロット）を掛け合わせた１１２個のサブチャネルが上り回線用と下り回線用にそれぞれ割り当てられる。【００２２】
本実施形態の無線通信システムでは、図２に示すように、全サブチャネルのうち周波数方向の一番端のサブチャネル（図２では１番）を制御チャネル（ＣＣＨ）として使用する。残りのサブチャネルをトラフィックチャネル（ＴＣＨ）として使用している。以下では、このトラフィックチャネルをトラフィックサブチャネルという。そして、無線通信を行う基地局ＣＳと端末ＰＳには、上り回線と下り回線のそれぞれに属する全トラフィックサブチャネル（この場合、ＣＣＨを除いた２７×４スロットの１０８サブチャネル）のうちから任意の１つ又は複数のトラフィックサブチャネルが割り当てられる。なお、通信チャネルとしての上り回線用及び下り回線用のトラフィックサブチャネルには、同じトラフィックチャネルが割り当てられる。【００２３】
続いて、基地局ＣＳの構成について詳細に説明する。図３は、基地局ＣＳの構成ブロック図である。図３に示すように、基地局ＣＳは、ＯＦＤＭ信号送信部１、ＯＦＤＭ信号受信部２、基地局側上位制御部３、基地局側データ生成部４、基地局側メモリ（基地局側記憶部）５及び基地局側メモリ制御部（基地局側下位制御部）６を備えている。【００２４】
ＯＦＤＭ信号送信部１は、ＣＲＣ符号付加部１ａ、基地局側スクランブル部１ｂ、誤り訂正符号付加部１ｃ、シリアル／パラレル変換部１ｄ、サブキャリア変調部１ｅ、逆フーリエ変換部１ｆ、ガードインターバル挿入部１ｇ及び無線信号送信部１ｈから構成され、ＯＦＤＭ信号受信部２は、無線信号受信部２ａ、ガードインターバル除去部２ｂ、フーリエ変換部２ｃ、サブキャリア復調部２ｄ、パラレル／シリアル変換部２ｅ、誤り訂正部２ｆ、基地局側デスクランブル部２ｇ及びＣＲＣ演算部２ｈから構成されている。【００２５】
ＣＲＣ符号付加部１ａは、基地局側上位制御部３の指示に基づいて、基地局側上位制御部３から出力される送信データに冗長情報である誤り検出用のＣＲＣ符号を付加して基地局側スクランブル部１ｂに出力する。基地局側スクランブル部１ｂは、ＣＲＣ符号付加部１ａから出力される送信データと、後述する基地局側メモリ５から出力されるスクランブルデータとの掛合せ処理を行い、掛合せ処理後の送信データを誤り訂正符号付加部１ｃに出力する。なお、２進数１ビットの掛合わせ処理としては論理積や排他的論理和を用いることができるが、本実施形態では排他的論理和（ＸＯＲ処理）を用いることとする。
誤り訂正符号付加部１ｃは、基地局側上位制御部３の指示に基づいて、基地局側スクランブル部１ｂから出力される送信データのビット列に畳み込み符号等の誤り訂正符号を付加し、このビット列をシリアル／パラレル変換部１ｄに出力する。【００２６】
シリアル／パラレル変換部１ｄは、基地局側上位制御部３の制御の下、誤り訂正符号付加部１ｃから出力されたビット列を、各サブキャリア毎にビット単位で分割し、各サブキャリア変調部１ｅに出力する。サブキャリア変調部１ｅは、サブキャリアと同数設けられている。サブキャリア変調部１ｅは、サブキャリア毎に分割されたビット列を、サブキャリアに基づいてデジタル変調し、変調信号を逆フーリエ変換部１ｆに出力する。なお、各サブキャリア変調部１ｅは、基地局側上位制御部３に指示された変調方式、例えばＢＰＳＫ（Ｂｉｎａｒｙ  Ｐｈａｓｅ  Ｓｈｉｆｔ  Ｋｅｙｉｎｇ）、ＱＰＳＫ（Ｑｕａｄｒａｔｕｒｅ  Ｐｈａｓｅ  Ｓｈｉｆｔ  Ｋｅｙｉｎｇ）、１６ＱＡＭ（Ｑｕａｄｒａｔｕｒｅ  Ａｍｐｌｉｔｕｄｅ  Ｍｏｄｕｌａｔｉｏｎ）、６４ＱＡＭ等に基づいてデジタル変調を行う。【００２７】
逆フーリエ変換部１ｆは、各サブキャリア変調部１ｅから入力される変調信号を逆フーリエ変換して直交多重化することによりＯＦＤＭ信号を生成し、このＯＦＤＭ信号をガードインターバル挿入部１ｇに出力する。ガードインターバル挿入部１ｇは、逆フーリエ変換部１ｆから入力されたＯＦＤＭ信号にガードインターバルを挿入し、無線信号送信部１ｈに出力する。無線信号送信部１ｈは、ガードインターバル挿入部１ｇから入力されたＯＦＤＭ信号をＤ／Ａコンバータにより、デジタル信号からアナログ信号に変換し、このアナログ信号に変換されたＯＦＤＭ信号をＩＦ周波数帯からＲＦ周波数帯に変換し、このＲＦ周波数帯に変換されたＯＦＤＭ信号を電力増幅器等により所定の送信出力レベルまで増幅させ、アンテナを介して端末ＰＳに送信する。【００２８】
無線信号受信部２ａは、端末ＰＳよりアンテナを介してＯＦＤＭ信号を受信する。無線信号受信部２ａは、ＲＦ周波数帯の信号からＩＦ周波数帯の信号に変換する。無線信号受信部２ａは、ＩＦ周波数帯のＯＦＤＭ信号をローノイズ増幅器等により増幅する。無線信号受信部２ａは、この増幅したＯＦＤＭ信号をＡ／Ｄコンバータによりアナログ信号からデジタル信号に変換し、ガードインターバル除去部２ｂに出力する。ガードインターバル除去部２ｂは、無線信号受信部２ａから入力されたＯＦＤＭ信号からガードインターバルを除去し、フーリエ変換部２ｃに出力する。フーリエ変換部２ｃは、ガードインターバル除去部２ｂから入力されたＯＦＤＭ信号をフーリエ変換することにより各サブキャリア毎の変調信号に変換し、この変調信号を各サブキャリア復調部２ｄに出力する。【００２９】
サブキャリア復調部２ｄは、サブキャリアと同数設けられている。変調信号を位相補正／周波数補正／電力補正すると共にサブキャリアに基づいてデジタル復調することにより受信データのデータ列に変換し、このデータ列をパラレル／シリアル変換部２ｅに出力する。パラレル／シリアル変換部２ｅは、基地局側上位制御部３の指示に基づいて、各サブキャリア復調部２ｄから入力される複数のデータ列を一つのデータ列に合成し、このデータ列を誤り訂正部２ｆに出力する。【００３０】
誤り訂正部２ｆは、基地局側上位制御部３の制御の下、パラレル／シリアル変換部２ｅから入力されたデータ列に対して誤り訂正を行い、このデータ列（受信データ）を基地局側デスクランブル部２ｇに出力する。基地局側デスクランブル部２ｇは、誤り訂正部２ｆから出力される受信データと、基地局側メモリ５から出力されるスクランブルデータとのＸＯＲ（排他的論理和）処理を行い、ＸＯＲ処理後の受信データをＣＲＣ演算部２ｈに出力する。ＣＲＣ演算部２ｈは、基地局側上位制御部３の制御の下、受信データに付加されている誤り検出用のＣＲＣ符号に基づいてＣＲＣ演算を行い、ＣＲＣ演算の結果と共に受信データを基地局側上位制御部３に出力する。【００３１】
基地局側上位制御部３は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）及びＲＡＭ（Ｒａｎｄｏｍ  Ａｃｃｅｓｓ  Ｍｅｍｏｒｙ）から構成される内部メモリ並びにＯＦＤＭ信号送信部１及びＯＦＤＭ信号受信部２と各種信号の入出力を行うインタフェース回路等から構成されている。上記ＲＯＭに記憶された制御プログラム及びＯＦＤＭ信号受信部２が受信する各種信号に基づいて基地局ＣＳの全体動作を制御する。【００３２】
基地局側データ生成部４は、基地局ＣＳの起動時において、自己の基地局情報を基に異なるスクランブルデータを少なくともシステム全体で使用するサブチャネル数とサブキャリア数との乗算値以上の数だけ生成して、基地局側メモリ５に出力する。図４に、この基地局側データ生成部４の詳細構成図を示す。図４に示すように、基地局側データ生成部４は、シフトレジスタ４ａと論理和回路４ｂとから構成される。シフトレジスタ４ａは、サブチャネル数Ｎｓ、サブキャリア数Ｎｃ、ビット数Ｂからなる２Ｂ−１≧Ｎｓ×Ｎｃの条件式を満たすビット数Ｂ（本実施形態では一例としてＢ＝９とする）のシフトレジスタである。論理和回路４ｂは、一方の入力端がシフトレジスタ４ａにおける最終段の出力端と接続され、他方の入力端がシフトレジスタ４ａにおける所定段の出力端（本実施形態では一例として７ビット目の出力端とする）と接続され、出力端がシフトレジスタ４ａの入力端と接続された論理和回路である。シフトレジスタ４ａには、９ビットの基地局情報（例えば基地局ＩＤ）が初期値としてセットされており、本実施形態では基地局データ生成部４において、少なくとも５１１個以上のスクランブルデータが生成される。【００３３】
基地局側メモリ５は、基地局側データ生成部４にて生成されたスクランブルデータを記憶する。また、基地局側メモリ５は、基地局側メモリ制御部６による制御の下、記憶しているスクランブルデータを基地局側スクランブル部１ｂ及び基地局側デスクランブル部２ｇに出力する。基地局側メモリ制御部６は、基地局側上位制御部３から出力される、通信相手の端末ＰＳに割り当てたサブチャネルの情報を基に、通信相手の端末ＰＳに割り当てたサブチャネルに対応するスクランブルデータを出力するように基地局側メモリ５を制御する。具体的には、この基地局側メモリ制御部６は、通信相手の端末ＰＳに割り当てたサブチャネルに対応するスクランブルデータの記憶先の先頭アドレスを示すアドレス信号を基地局側メモリ５に出力する。このアドレス信号の表す先頭アドレスをインクリメントすることにより、通信相手の端末ＰＳに割り当てたサブチャネルに対応するスクランブルデータを１ビットずつ順次出力させる。【００３４】
続いて、端末ＰＳの構成について詳細に説明する。図５は、端末ＰＳの構成ブロック図である。図５に示すように、端末ＰＳは、ＯＦＤＭ信号送信部１０、ＯＦＤＭ信号受信部２０、端末側上位制御部３０、端末側データ生成部４０、端末側メモリ（端末側記憶部）５０、端末側メモリ制御部（端末側下位制御部）６０、操作部７０、表示部８０及び音声入出力部９０を備えている。【００３５】
ＯＦＤＭ信号送信部１０は、ＣＲＣ符号付加部１０ａ、端末側スクランブル部１０ｂ、誤り訂正符号付加部１０ｃ、シリアル／パラレル変換部１０ｄ、サブキャリア変調部１０ｅ、逆フーリエ変換部１０ｆ、ガードインターバル挿入部１０ｇ及び無線信号送信部１０ｈから構成され、ＯＦＤＭ信号受信部２０は、無線信号受信部２０ａ、ガードインターバル除去部２０ｂ、フーリエ変換部２０ｃ、サブキャリア復調部２０ｄ、パラレル／シリアル変換部２０ｅ、誤り訂正部２０ｆ、端末側デスクランブル部２０ｇ及びＣＲＣ演算部２０ｈから構成されている。
これら端末ＰＳのＯＦＤＭ信号送信部１０及びＯＦＤＭ信号受信部２０における各構成要素の機能は、基地局ＣＳと同様であるため詳細な説明は省略する。【００３６】
端末側上位制御部３０は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）及びＲＡＭ（Ｒａｎｄｏｍ  Ａｃｃｅｓｓ  Ｍｅｍｏｒｙ）から構成される内部メモリ並びにＯＦＤＭ信号送信部１０及びＯＦＤＭ信号受信部２０と各種信号の入出力を行うインタフェース回路等から構成されている。端末側上位制御部３０は、上記ＲＯＭに記憶された制御プログラム及びＯＦＤＭ信号受信部２０が受信する各種信号、操作部７０から出力される操作信号、及び、音声入出力部９０から出力される音声信号に基づいて端末ＰＳの全体動作を制御する。【００３７】
端末側データ生成部４０は、基地局との通信接続確立時において、通信相手の基地局ＣＳから取得した基地局情報を基に、通信相手の基地局ＣＳと同一のスクランブルデータを生成する。具体的には、この端末側データ生成部４０は、基地局側データ生成部４（図４参照）と同様の構成となっている。端末側データ生成部４０は、端末側上位制御部３０による制御の下、通信相手の基地局ＣＳから取得した基地局情報（基地局ＩＤ）がシフトレジスタの初期値としてセットされ、通信相手の基地局ＣＳと同一のスクランブルデータが生成される。【００３８】
端末側メモリ５０は、端末側データ生成部４０にて生成されたスクランブルデータを記憶する。端末側メモリ５０は、端末側メモリ制御部６０による制御の下、記憶しているスクランブルデータを端末側スクランブル部１０ｂ及び端末側デスクランブル部２０ｇに出力する。端末側メモリ制御部６０は、端末側上位制御部３０から出力される、通信相手の基地局ＣＳから割り当てられたサブチャネルの情報を基に、通信相手の基地局ＣＳから割り当てられたサブチャネルに対応するスクランブルデータを出力するように端末側メモリ５０を制御する。【００３９】
操作部７０は、電源キーやファンクションキー、テンキー等の各種操作キーから構成されており、これら操作キーに対するユーザの操作に応じた操作信号を端末側上位制御部３０に出力する。表示部８０は、例えば液晶パネルや有機ＥＬパネルであり、端末側上位制御部３０による制御の下、所定の画像等を表示する。音声入出力部９０は、マイク及びスピーカから構成されており、マイクに入力された音声を音声信号にデジタル変換して端末側上位制御部３０に出力すると共に、端末側上位制御部３０から出力される音声信号をスピーカを介して外部に音声として出力する。【００４０】
次に、上記のような基地局ＣＳ及び端末ＰＳから構成される本無線通信システムの通信動作について図６のフローチャートを参照して説明する。なお、基地局ＣＳでは、起動時において、基地局側データ生成部４にてスクランブルデータが生成され、基地局側メモリ５にはその生成されたスクランブルデータが記憶されているものとする。【００４１】
まず、端末ＰＳの端末側上位制御部３０は、操作部７０からデータ送信を指示する操作信号が出力された場合、ＯＦＤＭ信号受信部２０を制御して基地局ＣＳから送信されている制御チャネル（ＣＣＨ）をサーチする。端末側上位制御部３０は、捕捉に成功し且つ受信状態が最も良い制御チャネルを送信している基地局ＣＳとの通信接続の確立処理を行う（ステップＳ１）。この通信接続確立処理の過程で、端末ＰＳの端末側上位制御部３０は、通信相手の基地局ＣＳの基地局情報（基地局ＩＤ）や割り当てられたトラフィックサブチャネルの情報（例えばサブチャネル番号）などを、制御チャネルを介して通信相手の基地局ＣＳから取得する。【００４２】
そして、通信接続確立後、端末ＰＳの端末側上位制御部３０は、通信相手の基地局ＣＳから取得した基地局情報（基地局ＩＤ）を端末側データ生成部４０におけるシフトレジスタの初期値としてセットする。これにより、端末側データ生成部４０にて通信相手の基地局ＣＳと同一のスクランブルデータが生成され、この生成されたスクランブルデータは端末側メモリ５０に記憶される（ステップＳ２）。【００４３】
続いて、端末ＰＳの端末側上位制御部３０は、送信データをＣＲＣ符号付加部１０ａに出力する。端末側上位制御部３０は、通信相手の基地局ＣＳから割り当てられたサブチャネルの情報を端末側メモリ制御部６０に出力する。端末側メモリ制御部６０は、サブチャネルの情報を基に、通信相手の基地局ＣＳから割り当てられたサブチャネルに対応するスクランブルデータの記憶先の先頭アドレスを示すアドレス信号を端末側メモリ５０に出力する。端末側メモリ制御部６０は、このアドレス信号の表すアドレスをインクリメントすることにより、割り当てられたサブチャネルに対応するスクランブルデータを１ビットずつ順次出力させる。【００４４】
端末側スクランブル部１０ｂは、ＣＲＣ符号付加部１０ａから出力される送信データと、端末側メモリ５０から出力されるスクランブルデータとのＸＯＲ処理を行う。端末側スクランブル部１０ｂは、ＸＯＲ処理の結果に基づき、送信データのスクランブル処理を行う（ステップＳ３）。ここで、例えば、サブチャネル番号「１」に対応する送信データにはサブチャネル番号「１」に対応するスクランブルデータが与えられ、サブチャネル番号「２」に対応する送信データにはサブチャネル番号「２」に対応するスクランブルデータが与えられるため、サブチャネル間の送信データはランダム化される。なお、サブチャネル間の送信データのランダム性を確保するためには、スクランブルデータを少なくともシステム全体で使用するサブチャネル数とサブキャリア数との乗算値以上の数だけ必要であるという条件がある。この点、本実施形態では、サブチャネル数Ｎｓ、サブキャリア数Ｎｃ、ビット数Ｂからなる２Ｂ−１≧Ｎｓ×Ｎｃの条件式を満たすビット数Ｂのシフトレジスタ４ａを用いてスクランブルデータを生成する。これにより、本実施形態では、サブチャネル間の送信データのランダム性を確保している。【００４５】
スクランブル処理された送信データは、誤り訂正符号付加部１０ｃ、シリアル／パラレル変換部１０ｄ、サブキャリア変調部１０ｅ、逆フーリエ変換部１０ｆ、ガードインターバル挿入部１０ｇ及び無線信号送信部１０ｈを介して、通信相手の基地局ＣＳに送信される（ステップＳ４）。【００４６】
そして、上記の送信データは、通信相手の基地局ＣＳの無線信号受信部２ａによって受信され、ガードインターバル除去部２ｂ、フーリエ変換部２ｃ、サブキャリア復調部２ｄ、パラレル／シリアル変換部２ｅ、誤り訂正部２ｆを介して受信データとして基地局側デスクランブル部２ｇに出力される。一方、基地局側メモリ制御部６は、基地局側上位制御部３から出力されるサブチャネルの情報を基に、通信相手の端末ＰＳに割り当てたサブチャネルに対応するスクランブルデータの記憶先の先頭アドレスを示すアドレス信号を基地局側メモリ５に出力する。基地局側メモリ制御部６は、このアドレス信号が表すアドレスをインクリメントすることにより、通信相手の端末ＰＳに割り当てたサブチャネルに対応するスクランブルデータを１ビットずつ順次出力させる。【００４７】
基地局側デスクランブル部２ｇは、誤り訂正部２ｆから出力される受信データと、基地局側メモリ５から出力されるスクランブルデータとのＸＯＲ処理を行う。基地局側デスクランブル部２ｇは、このＸＯＲ処理の結果に基づき、受信データのデスクランブル処理を行う（ステップＳ５）。ここで、デスクランブル処理に用いられるスクランブルデータは、通信相手同士である基地局ＣＳと端末ＰＳとで共通であるので、受信データを問題なくデスクランブル処理することができる。このように、デスクランブル処理された受信データはＣＲＣ演算部２ｈを介して基地局側上位制御部３に出力され、基地局側上位制御部３はこの受信データを基に所定の信号処理を行う。【００４８】
以上、端末ＰＳから基地局ＣＳに対してデータ送信を行う場合を説明したが、基地局ＣＳから端末ＰＳに対してデータ送信を行う場合も同様である。つまり、基地局ＣＳの基地局側上位制御部３は、送信データをＣＲＣ符号付加部１ａに出力すると共に、通信相手の端末ＰＳに割り当てたサブチャネルの情報を基地局側メモリ制御部６に出力する。基地局側メモリ制御部６は、サブチャネルの情報を基に、通信相手の端末ＰＳに割り当てたサブチャネルに対応するスクランブルデータの記憶先の先頭アドレスを示すアドレス信号を基地局側メモリ５に出力する。基地局側メモリ制御部６は、このアドレス信号の表すアドレスをインクリメントすることにより、割り当てられたサブチャネルに対応するスクランブルデータを１ビットずつ順次出力させる。【００４９】
基地局側スクランブル部１ｂは、ＣＲＣ符号付加部１ａから出力される送信データと、基地局側メモリ５から出力されるスクランブルデータとのＸＯＲ処理を行う。基地局側スクランブル部１ｂは、このＸＯＲ処理の結果に基づき、送信データのスクランブル処理を行う（ステップＳ６）。スクランブル処理された送信データは、誤り訂正符号付加部１ｃ、シリアル／パラレル変換部１ｄ、サブキャリア変調部１ｅ、逆フーリエ変換部１ｆ、ガードインターバル挿入部１ｇ及び無線信号送信部１ｈを介して、通信相手の端末ＰＳに送信される（ステップＳ７）。【００５０】
そして、上記の送信データは、通信相手の端末ＰＳの無線信号受信部２０ａによって受信され、ガードインターバル除去部２０ｂ、フーリエ変換部２０ｃ、サブキャリア復調部２０ｄ、パラレル／シリアル変換部２０ｅ、誤り訂正部２０ｆを介して受信データとして端末側デスクランブル部２０ｇに出力される。一方、端末側メモリ制御部６０は、端末側上位制御部３０から出力されるサブチャネルの情報を基に、通信相手の基地局ＣＳから割り当てられたサブチャネルに対応するスクランブルデータの記憶先の先頭アドレスを示すアドレス信号を端末側メモリ５０に出力する。端末側メモリ制御部６０は、このアドレス信号の表すアドレスをインクリメントすることにより、割り当てられたサブチャネルに対応するスクランブルデータを１ビットずつ順次出力させる。【００５１】
端末側デスクランブル部２０ｇは、誤り訂正部２０ｆから出力される受信データと、端末側メモリ５０から出力されるスクランブルデータとのＸＯＲ処理を行う。端末側デスクランブル部２０ｇは、このＸＯＲ処理の結果に基づき、受信データのデスクランブル処理を行う（ステップＳ８）。ここで、デスクランブル処理に用いられるスクランブルデータは、通信相手同士である基地局ＣＳと端末ＰＳとで共通であるので、受信データを問題なくデスクランブル処理することができる。このように、デスクランブル処理された受信データはＣＲＣ演算部２０ｈを介して端末側上位制御部３０に出力され、端末側上位制御部３０はこの受信データを基に所定の信号処理を行う。【００５２】
以上のように、本実施形態における無線通信システムによれば、スクランブルデータを記憶するためのメモリ（基地局側メモリ５、端末側メモリ５０）をサブチャネル数分だけ用意する必要がなく、コストの増大を防止することができる。また、基地局ＣＳ側では起動時、端末ＰＳ側では通信相手の基地局ＣＳとの通信接続確立時に生成したスクランブルデータをメモリに記憶しておき、以降の通信ではそのメモリに記憶されたスクランブルデータを用いてサブチャネル間のデータのランダム化（スクランブル）を行う。このため、データ送信を行う毎にスクランブルデータを生成する従来の手法のように通信速度の低下を招くこともない。従って、本実施形態によれば、マルチキャリア通信を採用した場合において、コストの増大及び通信速度の低下を招くことなく、サブチャネル間のデータをランダム化してピークファクタを低減することが可能である。【００５３】
なお、上記実施形態では、スクランブルデータを生成する基地局側データ生成部４及び端末側データ生成部４０として、ビット数「９」のシフトレジスタ４ａを例示したが、これに限定さない。ビット数はシステム全体のサブチャネル数及びサブキャリア数に応じて適宜変更しても良い。また、シフトレジスタ４ａにセットする初期値として、基地局ＩＤを一例として挙げたが、この他の基地局固有の情報を用いても良い。また、基地局側データ生成部４及び端末側データ生成部４０の構成として、必ずしもシフトレジスタ４ａを用いる必要はない。異なるスクランブルデータを少なくともシステム全体で使用するサブチャネル数とサブキャリア数との乗算値以上の数だけ生成できれば他の構成を使用しても良い。【００５４】
また、上記実施形態では、ＯＦＤＭＡ方式を採用した無線通信システムについて述べたが、本発明はＯＦＤＭＡだけでなく、マルチキャリア通信を採用した他の無線通信システムにも広く適用することができる。
【産業上の利用可能性】
【００５５】
本発明により、マルチキャリア通信を採用した無線通信システム、基地局、端末及び無線通信方法において、コストの増大及び通信速度の低下を招くことなく、ピークファクタを低減することができる。
【図１】
2009057631.tif 000003
【図２】
2009057631.tif 000004
【図３】
2009057631.tif 000005
【図４】
2009057631.tif 000006
【図５】
2009057631.tif 000007
【図６】
2009057631.tif 000008
【国際調査報告】
2009057631.tif 000009
2009057631.tif 000010